(57)【要約】  サンプル中のビオチンの濃度を決定するための化学発光検出システムを含有するキットおよびマイクロ流体デバイスおよび方法が開示される。キット、マイクロ流体デバイスおよび方法は、一重項酸素をその励起状態において生成することができ、増感剤に直接的または間接的に結合しているアビジンまたはその類似体を有することができる増感剤、および化学発光化合物に直接的または間接的に結合しているビオチンまたはその類似体を有する一重項酸素により活性化可能な化学発光化合物を利用する。【選択図】図６
2021532366.tif 000002
【特許請求の範囲】
【請求項１】
サンプル中のビオチンの濃度を決定するための化学発光検出システムを含有するキットであって：
（ａ）化学発光化合物に直接的または間接的に結合しているビオチンまたはその類似体を有する一重項酸素により活性化可能な化学発光化合物を含む組成物と；
（ｂ）一重項酸素をその励起状態において生成することができ、増感剤に直接的または間接的に結合しているトラプトアビジンを有することができる増感剤を含む組成物と
を含む、前記キット。
【請求項２】
（ａ）の組成物は、一重項酸素により活性化可能な化学発光化合物に直接的または間接的に結合しているビオチン類似体を有し、ビオチン類似体は、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、テトラ−ビオチン、および上記類似体のいずれかの任意のエステル、塩、または誘導体からなる群から選択される、請求項１に記載のキット。
【請求項３】
ビオチン類似体はＨＡＢＡまたはイミノビオチンである、請求項２に記載のキット。
【請求項４】
一重項酸素により活性化可能な化学発光化合物は、一重項酸素との化学反応を起こして、同時または後の発光により分解することができる準安定中間体種を形成する物質である、請求項１に記載のキット。
【請求項５】
化学発光化合物を含む組成物は、活性化された化学発光化合物によって励起される少なくとも１つの蛍光分子をさらに含む、請求項１に記載のキット。
【請求項６】
増感剤は光増感剤である、請求項１に記載のキット。
【請求項７】
サンプル中のビオチンの濃度を決定するための化学発光検出システムを含有するキットであって：
（ａ）化学発光化合物に直接的または間接的に結合しているビオチン類似体を有する一重項酸素により活性化可能な化学発光化合物を含む組成物と；
（ｂ）一重項酸素をその励起状態において生成することができ、増感剤に直接的または間接的に結合しているアビジンまたはその類似体を有することができる増感剤を含む組成物であって、アビジンまたはその類似体はサンプル中のビオチンまたは（ａ）に結合することができる、該組成物と
を含む、前記キット。
【請求項８】
ビオチン類似体は、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、テトラ−ビオチン、および上記類似体のいずれかの任意のエステル、塩、または誘導体からなる群から選択される、請求項７に記載のキット。
【請求項９】
ビオチン類似体はＨＡＢＡまたはイミノビオチンである、請求項８に記載のキット。
【請求項１０】
（ｂ）の組成物は、増感剤に直接的または間接的に結合しているアビジン類似体を有し、アビジン類似体は、アビジン、ストレプトアビジン、トラプトアビジン、中性アビジン、ニュートラライトアビジン、ニュートラアビジン、ライト−アビジン、スクシニル化アビジン、修飾または遺伝子操作されたアビジンの他の形態、および上記類似体のいずれかの任意のエステル、塩、または誘導体からなる群から選択される、請求項７に記載のキット。
【請求項１１】
一重項酸素により活性化可能な化学発光化合物は、一重項酸素との化学反応を起こして、同時または後の発光により分解することができる準安定中間体種を形成する物質である、請求項７に記載のキット。
【請求項１２】
化学発光化合物を含む組成物は、活性化された化学発光化合物によって励起される少なくとも１つの蛍光分子をさらに含む、請求項７に記載のキット。
【請求項１３】
増感剤は光増感剤である、請求項７に記載のキット。
【請求項１４】
サンプル中のビオチンの濃度を決定するための化学発光検出システムを含有するキットであって：
（ａ）化学発光化合物に直接的または間接的に結合している４’−ヒドロキシアゾベンゼン−２−カルボン酸（ＨＡＢＡ）を有する一重項酸素により活性化可能な化学発光化合物を含む組成物と；
（ｂ）一重項酸素をその励起状態において生成することができ、増感剤に直接的または間接的に結合しているトラプトアビジンを有することができる増感剤を含む組成物と
を含む、前記キット。
【請求項１５】
サンプル中のビオチンの濃度を決定するためのマイクロ流体デバイスであって：
（ａ）サンプルが適用される入口チャネルと；
（ｂ）該入口チャネルと流体連絡することができる少なくとも第１の区画であって、一重項酸素をその励起状態において生成することができ、増感剤に直接的または間接的に結合しているアビジンまたはその類似体を有することができる増感剤を含有する、該第１の区画と；
（ｃ）該第１の区画と流体連絡することができる少なくとも第２の区画であって、化学発光化合物に直接的または間接的に結合しているビオチンまたはその類似体を有する一重項酸素により活性化可能な化学発光化合物を含む組成物を含有する、該第２の区画と
を含む、前記マイクロ流体デバイス。
【請求項１６】
（ｂ）の増感剤は、それに直接的または間接的に結合しているアビジン類似体を有し、アビジン類似体は、アビジン、ストレプトアビジン、トラプトアビジン、中性アビジン、ニュートラライトアビジン、ニュートラアビジン、ライト−アビジン、スクシニル化アビジン、修飾または遺伝子操作されたアビジンの他の形態、および上記類似体のいずれかの任意のエステル、塩、または誘導体からなる群から選択される、請求項１５に記載のマイクロ流体デバイス。
【請求項１７】
（ｃ）の一重項酸素により活性化可能な化学発光化合物は、それに直接的または間接的に結合しているビオチン類似体を有し、ビオチン類似体は、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、テトラ−ビオチン、および上記類似体のいずれかの任意のエステル、塩、または誘導体からなる群から選択される、請求項１５に記載のマイクロ流体デバイス。
【請求項１８】
（ｂ）の増感剤は、それに直接的または間接的に結合しているトラプトアビジンを有する；および
（ｃ）の一重項酸素により活性化可能な化学発光化合物は、それに直接的または間接的に結合しているＨＡＢＡを有する
のうちの少なくとも１つである、請求項１５に記載のマイクロ流体デバイス。
【請求項１９】
（ｃ）の一重項酸素により活性化可能な化学発光化合物は、一重項酸素との化学反応を起こして、同時または後の発光により分解することができる準安定中間体種を形成する物質である、請求項１５に記載のマイクロ流体デバイス。
【請求項２０】
（ｃ）の化学発光化合物を含む組成物は、活性化された化学発光化合物によって励起される少なくとも１つの蛍光分子をさらに含む、請求項１５に記載のマイクロ流体デバイス。
【請求項２１】
増感剤は光増感剤である、請求項１５に記載のマイクロ流体デバイス。
【請求項２２】
サンプル中のビオチンの存在および／または濃度を検出するための方法であって：
（ａ）
（１）ビオチンを含有すると疑われるサンプルと；
（２）化学発光化合物に直接的または間接的に結合しているビオチンまたはビオチン類似体を有する一重項酸素により活性化可能な化学発光化合物を含む組成物と；
（３）一重項酸素をその励起状態において生成することができ、増感剤に直接的または間接的に結合しているアビジンまたはアビジン類似体を有することができる増感剤を含む過剰な組成物と
を同時にまたは全体的もしくは部分的に連続して合わせる工程と；
（ｂ）サンプル中に存在するビオチンまたは（２）への（３）の結合を可能にする工程であって、ビオチンの不在下で、複合体が（２）と（３）との間で形成され、増感剤が化学発光化合物に近接している、該工程と；
（ｃ）増感剤を活性化して一重項酸素を生成する工程であって、複合体に存在する増感剤の活性化によって、複合体に存在する化学発光化合物の活性化が引き起こされる、該工程と；
（ｄ）活性化された化学発光化合物によって生じる化学発光の量を決定する工程と；
（ｅ）場合により、工程（ｂ）〜（ｄ）を反復する工程と；
（ｆ）このように生成された化学発光の量を分析することによってビオチンの存在および／または濃度を検出する工程であって、化学発光の量はサンプル中のビオチンの量と反比例する、該工程と
を含む、前記方法。
【請求項２３】
工程（ａ）（２）の一重項酸素により活性化可能な化学発光化合物は、それに直接的または間接的に結合しているビオチン類似体を有し、ビオチン類似体は、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、テトラ−ビオチン、および上記類似体のいずれかの任意のエステル、塩、または誘導体からなる群から選択される、請求項２２に記載の方法。
【請求項２４】
工程（ａ）（３）の増感剤は、それに直接的または間接的に結合しているアビジン類似体を有し、アビジン類似体は、アビジン、ストレプトアビジン、トラプトアビジン、中性アビジン、ニュートラライトアビジン、ニュートラアビジン、ライト−アビジン、スクシニル化アビジン、修飾または遺伝子操作されたアビジンの他の形態、および上記類似体のいずれかの任意のエステル、塩、または誘導体からなる群から選択される、請求項２２に記載の方法。
【請求項２５】
工程（ａ）（２）の一重項酸素により活性化可能な化学発光化合物は、それに直接的または間接的に結合しているＨＡＢＡを有する；および
工程（ａ）（３）の増感剤は、それに直接的または間接的に結合しているトラプトアビジンを有する
のうちの少なくとも１つである、請求項２２に記載の方法。
【請求項２６】
一重項酸素により活性化可能な化学発光化合物は、一重項酸素との化学反応を起こして、同時または後の発光により分解することができる準安定中間体種を形成する物質である、請求項２２に記載の方法。
【請求項２７】
増感剤は光増感剤であり、工程（ｃ）における増感剤の活性化は光による照射を含む、請求項２２に記載の方法。
【請求項２８】
サンプルは生体サンプルである、請求項２２に記載の方法。
【請求項２９】
生体サンプルは、全血またはそのいずれかの部分、尿、唾液、痰、脳脊髄液、皮膚、腸液、腹腔内液、嚢胞液、汗、間質液、細胞外液、涙、粘液、膀胱洗浄液、精液、糞便、胸膜液、鼻咽頭液、およびそれらの組合せからなる群から選択される、請求項２８に記載の方法。
【請求項３０】
生体サンプルは、溶解全血細胞および溶解赤血球のうちの少なくとも１つを含む、請求項２８に記載の方法。
【請求項３１】
化学発光化合物を含む組成物は、活性化された化学発光化合物によって励起される少なくとも１つの蛍光分子をさらに含む、請求項２２に記載の方法。
【請求項３２】
蛍光分子によって発せられた光の量を測定してサンプル中の検体の量を決定する工程をさらに含む、請求項３１に記載の方法。
【発明の詳細な説明】
【技術分野】
【０００１】
関連出願の相互参照／参照による組み入れの記述
対象の出願は、２０１８年７月３０日に出願された米国仮出願第６２／７１１，６９４号に対し米国特許法第１１９条（ｅ）の下で利益を主張する。上記の参照特許出願の全体の内容は参照によって明示的に本明細書に組み入れる。
【０００２】
連邦政府の支援による研究または開発に関する記述
適用なし。
【背景技術】
【０００３】
ビオチンは、多くの場合、アッセイ試薬のための抗体または他の小薬物分子とのコンジュゲートに使用される。固体支持体上に被覆される大きなタンパク質分子（例えば、アビジンおよびストレプトアビジン）へのビオチンの強固な結合は、固体支持体上に抗体または薬物を固定化するための簡便な手法を提供する。
【０００４】
ビオチンは、栄養補助食品としてのその使用に関して当該技術分野において周知であり；例えば、ビオチンは、健康な毛髪および爪の成長を促進し、種々の疾患状態を処置するために利用される。この使用が与えられると、有意なビオチンレベルが、（限定されないが）血液のような生体サンプルにおいて見出される。ビオチンは多くの診断アッセイ（例えば、固体支持体を被覆するため）に使用されるので、試験サンプル中の高レベルのビオチンは、ビオチン化アッセイ成分が利用される任意のアッセイにおいてアッセイシグナルと干渉することがある。干渉は異なるビオチン濃度で種々のアッセイ方法において観察されるので、患者サンプル中に存在するビオチンのレベルは、サンプルが特定のアッセイにおける使用に適しているかどうかを決定するために定量されなければならない。しかしながら、現在利用可能なビオチンアッセイのほとんどは、実際の患者サンプル中に典型的に見出されるビオチン濃度の広い動的範囲（すなわち、０〜１５００ｎｇ／ｍｌ）を検出するのに適していない狭い範囲（すなわち、０〜５０ｎｇ／ｍｌ）を有する。
【０００５】
現在利用可能なビオチンアッセイについての狭い検出範囲を扱うための唯一の方法は、望ましくは、予想されるアッセイ範囲を達成するために試験サンプルの連続希釈を実施することである；しかしながら、これは試験サンプルならびに試薬を浪費し、また、ターンアラウンド時間を遅延させる煩雑なプロセスである。
【０００６】
医療診断の分野は多くの異なる形態のアッセイ技術を利用する。商業的に使用されるアッセイの一例は、発光性酸素チャネリングアッセイ（Ｌｕｍｉｎｅｓｃｅｎｔ  Ｏｘｙｇｅｎ  Ｃｈａｎｎｅｌｉｎｇ  Ａｓｓａｙ）（ＬＯＣＩ（登録商標））技術である。ＬＯＣＩ（登録商標）による進化した化学発光アッセイは、例えば、特許文献１（Ｕｌｌｍａｎら）に記載されており、その全体の内容は参照によって明示的に本明細書に組み入れる。現在利用可能なＬＯＣＩ（登録商標）技術は高い感度を有し、いくつかの試薬を使用する。特に、ＬＯＣＩ（登録商標）アッセイは、これらの試薬のうちの２つ（「センシビーズ（ｓｅｎｓｉｂｅａｄ）」および「ケミビーズ（ｃｈｅｍｉｂｅａｄ）」と称される）が、センシビーズおよびケミビーズが互いに近接してシグナルを達成する様式で他の特異的結合パートナーアッセイ試薬によって保持されることを必要とする。ある特定の波長の光に曝露すると、センシビーズは一重項酸素を放出し、２つのビーズが近接している場合、一重項酸素はケミビーズに移動する；これにより化学反応が引き起こされ、その結果、ケミビーズが、異なる波長で測定することができる光を発する。
【０００７】
しかしながら、ＬＯＣＩ（登録商標）形式で利用可能なビオチンアッセイは存在しない。
【先行技術文献】
【特許文献】
【０００８】
【特許文献１】米国特許第５，３４０，７１６号
【発明の概要】
【発明が解決しようとする課題】
【０００９】
したがって、従来技術の不利益および欠点を克服するビオチンについての新規かつ改良されたアッセイが当該技術分野において必要とされている。本開示が対象とするのは、このようなアッセイ、ならびにキットおよびそれを含有するマイクロ流体デバイスおよびそれを使用する方法である。
【図面の簡単な説明】
【００１０】
【図１】本開示に従って構築されたビオチンＬＯＣＩ（登録商標）アッセイの１つの非限定的な実施形態を概略的に示す図である。
【図２】本開示に従って構築されたビオチンＬＯＣＩ（登録商標）アッセイの１つの非限定的な実施形態についての標準曲線をグラフで示す図であり、このアッセイはビオチンにより被覆したケミビーズおよびストレプトアビジンにより被覆したセンシビーズを利用する。
【図３】本開示に従って構築されたビオチンＬＯＣＩ（登録商標）アッセイの別の非限定的な実施形態についての標準曲線をグラフで示す図であり、このアッセイはビオチンにより被覆したケミビーズおよびトラプトアビジン（ｔｒａｐｔａｖｉｄｉｎ）により被覆したセンシビーズを利用する。
【図４】図２および３からの標準曲線の比較をグラフで示す図である。
【図５】本開示に従って構築されたビオチンＬＯＣＩ（登録商標）アッセイのさらに別の非限定的な実施形態についての標準曲線をグラフで示す図であり、このアッセイは４’−ヒドロキシアゾベンゼン−２−カルボン酸（ＨＡＢＡ）により被覆したケミビーズおよびストレプトアビジンにより被覆したセンシビーズを利用する。
【図６】本開示に従って構築されたビオチンＬＯＣＩ（登録商標）アッセイのさらに別の非限定的な実施形態を概略的に示す図であり、このアッセイはイミノビオチンにより被覆したケミビーズおよびアビジンにより被覆したセンシビーズを利用する。
【発明を実施するための形態】
【００１１】
例示的な言語および結果によって本開示の少なくとも１つの実施形態を詳細に説明する前に、本開示は、その適用において以下の説明に記載される構成の詳細および構成要素の配列に限定されないことは理解されるべきである。本開示は、他の実施形態が可能であるか、または種々の手法で実践もしくは実行することができる。したがって、本明細書に使用される言語は、可能な限り最も広い範囲および意味を与えることを意図し；実施形態は包括的ではなく、例示的であることを意味する。また、本明細書に利用される表現および用語は、説明の目的のためであり、限定的とみなされるべきではないことは理解されるべきである。
【００１２】
本明細書で別段に定義されない限り、本開示に関連して使用される科学的および技術的用語は、当業者によって一般的に理解されている意味を有するものとする。さらに、文脈によって別段に必要とされない限り、単数形の用語は複数を含むものとし、複数形の用語は単数を含むものとする。前述の技術および手順は、一般に、当該技術分野において周知であり、本明細書全体を通して引用され、論じられている種々の一般的およびより具体的な参考文献に記載されている従来の方法に従って実施される。本明細書に記載される分析化学、有機合成化学、ならびに医薬品化学および薬化学と関連して利用される命名法、ならびにそれらの実験手順および技術は、当該技術分野において周知であり、一般的に使用されているものである。標準的な技術が化学合成および化学分析のために使用される。
【００１３】
本明細書において述べられている全ての特許、公開された特許出願、および非特許刊行物は、本開示が関係する当業者の技術レベルを示す。本出願のいずれかの部分に参照されている全ての特許、公開された特許出願、および非特許刊行物は、各個々の特許または刊行物が参照によって組み入れることを具体的かつ個別に示している場合と同じ程度までそれらの全体を参照によって明示的に本明細書に組み入れる。
【００１４】
本明細書に開示される物品、組成物、キットおよび／または方法の全ては、本開示に照らして過度の実験をすることなく作製され、実行される。物品、組成物、キットおよび／または方法は特定の実施形態に関して記載されているが、本開示の概念、趣旨および範囲から逸脱せずに、物品、組成物、キットおよび／または方法に対して、ならびに本明細書に記載される方法の工程または一連の工程において変更を適用することができることは当業者には明らかであろう。当業者に明らかである全てのこのような同様の置換および修飾は、添付の特許請求の範囲によって規定される本開示の趣旨、範囲および概念内であるとみなされる。
【００１５】
本開示に従って利用される場合、別段に示さない限り、以下の用語は以下の意味を有すると理解されるべきである：
【００１６】
特許請求の範囲および／または明細書において「含む（ｃｏｍｐｒｉｓｉｎｇ）」という用語と併せて使用される場合、「１つの（ａ）」または「１つの（ａｎ）」という用語の使用は、「１つ（ｏｎｅ）」を意味することがあるが、それはまた、「１つまたはそれ以上」、「少なくとも１つ」および「１つまたは１つより多い」の意味と一致する。したがって、「１つの（ａ）」、「１つの（ａｎ）」および「その」という用語は、文脈が明確に別段を示さない限り、複数の指示対象を含む。したがって、例えば、「化合物」に対する言及は、１つもしくはそれ以上の化合物、２つもしくはそれ以上の化合物、３つもしくはそれ以上の化合物、４つもしくはそれ以上の化合物、またはより多い数の化合物を指すことがある。「複数」という用語は、「２つまたはそれ以上」を指す。
【００１７】
「少なくとも１つ」という用語の使用は、１つおよび限定されないが、２、３、４、５、１０、１５、２０、３０、４０、５０、１００などを含む１つより多い任意の量を含むと理解されるだろう。「少なくとも１つ」という用語は、それが付されている用語に応じて、１００または１０００またはそれ以上にまで及ぶことがある；さらに、より高い限界値も満足のいく結果をもたらす可能性があるため、１００／１０００の量は限定的と考えられるべきではない。さらに、「Ｘ、Ｙ、およびＺのうちの少なくとも１つ」という用語の使用は、Ｘ単独、Ｙ単独、およびＺ単独、ならびにＸ、ＹおよびＺの任意の組合せを含むと理解されるだろう。序数の用語（すなわち、「第１」、「第２」、「第３」、「第４」など）の使用は、２つまたはそれ以上の項目を区別する目的のためのみであり、例えば、任意の順列もしくは順序または１つの項目の別の項目に対する重要性あるいは添加の任意の順序を意味することを意図するものではない。
【００１８】
特許請求の範囲における「または」という用語の使用は、選択肢のみを指すように明示的に示されない限りまたは選択肢が相互に排他的でない限り、包括的な「および／または」を意味するために使用される。例えば、条件「ＡまたはＢ」は、以下のいずれかによって満たされる：Ａは真であり（または存在する）、かつＢは偽である（または存在しない）、Ａは偽であり（または存在しない）、かつＢは真である（または存在する）、およびＡとＢは両方とも真である（または存在する）。
【００１９】
本明細書で使用される場合、「１つの実施形態」、「ある実施形態」、「いくつかの実施形態」、「１つの例」、「例えば」または「ある例」に対するいずれかの言及は、実施形態に関連して記載される特定の要素、機能、構造または特性が少なくとも１つの実施形態に含まれることを意味する。例えば、明細書の種々の場所における「いくつかの実施形態において」または「１つの例」という語句の出現は、必ずしも全てが同じ実施形態を参照しているわけではない。さらに、１つまたはそれ以上の実施形態または例に対する言及は、全て、特許請求の範囲を限定するものではないと解釈されるべきである。
【００２０】
本出願全体を通して、「約」という用語は、値が組成物／装置／デバイスについての誤差の固有の変動、値を決定するために用いられる方法、または研究対象の間に存在する変動を含むことを示すために使用される。例えば、限定するものではないが、「約」という用語が利用される場合、指定された値は、特定された値から、プラスマイナス２０パーセント、または１５パーセント、または１２パーセント、または１１パーセント、または１０パーセント、または９パーセント、または８パーセント、または７パーセント、または６パーセント、または５パーセント、または４パーセント、または３パーセント、または２パーセント、または１パーセントだけ変化することがあり、このような変動は、開示された方法を実施するのに適切であり、当業者によって理解されている通りである。
【００２１】
本明細書および特許請求の範囲において使用される場合、「含む（ｃｏｍｐｒｉｓｉｎｇ）」（ならびに「含む（ｃｏｍｐｒｉｓｅ）」および「含む（ｃｏｍｐｒｉｓｅｓ）」のような含む（ｃｏｍｐｒｉｓｉｎｇ）の任意の形）、「有する（ｈａｖｉｎｇ）」（ならびに「有する（ｈａｖｅ）」および「有する（ｈａｓ）」のような有する（ｈａｖｉｎｇ）の任意の形）、「含む（ｉｎｃｌｕｄｉｎｇ）」（ならびに「含む（ｉｎｃｌｕｄｅｓ）」および「含む（ｉｎｃｌｕｄｅ）」のような含む（ｉｎｃｌｕｄｉｎｇ）の任意の形）、または「含有する（ｃｏｎｔａｉｎｉｎｇ）」（ならびに「含有する（ｃｏｎｔａｉｎｓ）」および「含有する（ｃｏｎｔａｉｎ）」のような含有する（ｃｏｎｔａｉｎｉｎｇ）の任意の形）という単語は、包括的であるかまたは無制限であり、追加の、引用されていない要素または方法ステップを排除しない。
【００２２】
本明細書で使用される場合、「またはそれらの組合せ」という用語は、この用語に先立って列挙された項目の全ての順列および組合せを指す。例えば、「Ａ、Ｂ、Ｃまたはそれらの組合せ」は、Ａ、Ｂ、Ｃ、ＡＢ、ＡＣ、ＢＣまたはＡＢＣの少なくとも１つを含むことを意図し、特定の文脈において順序が重要である場合、ＢＡ、ＣＡ、ＣＢ、ＣＢＡ、ＢＣＡ、ＡＣＢ、ＢＡＣまたはＣＡＢも、含むことを意図する。この例に引き続いて、ＢＢ、ＡＡＡ、ＡＡＢ、ＢＢＣ、ＡＡＡＢＣＣＣＣ、ＣＢＢＡＡＡ、ＣＡＢＡＢＢなどのような、１つまたはそれ以上の項目または用語の繰り返しを含有する組合せも明示的に含まれる。当業者は、文脈からそうでないことが明らかでない限り、典型的には、いかなる組合せにおいても項目または用語の数に制限がないことを理解するであろう。
【００２３】
本明細書で使用される場合、「実質的に」という用語は、それに引き続いて記載される事象もしくは状況が完全に起きるか、またはそれに引き続いて記載される事象もしくは状況が大いにもしくはかなりの程度起きることを意味する。例えば、特定の事象または状況と関連する場合、「実質的に」という用語は、それに引き続いて記載される事象または状況が時間の少なくとも８０％、または時間の少なくとも８５％、または時間の少なくとも９０％、または時間の少なくとも９５％に起きることを意味する。「実質的に隣接している」という用語は、２つの項目が互いに１００％隣接していること、または２つの項目が互いに近接している範囲内であるが、互いに１００％隣接していないこと、または２つの項目のうちの１つの一部が他の項目に１００％隣接していないが、他の項目に近接している範囲内であることを意味することがある。
【００２４】
本明細書で使用される場合、「会合する」および「連結する」という語句は、２つの部分の互いに直接的な会合／結合および２つの部分の互いに間接的な会合／結合の両方を含む。会合／連結の非限定的な例には、例えば、直接結合によるもしくはスペーサー基を介した１つの部分の別の部分への共有結合、直接的なもしくは両部分に結合している特異的結合対メンバーによる１つの部分の別の部分への非共有結合、１つの部分の別の部分への溶解もしくは合成によるような１つの部分の別の部分への組み込み、および１つの部分の別の部分への被覆が含まれる。
【００２５】
「類似体」および「誘導体」という用語は、本明細書では交換可能に使用され、その構造において所与の化合物と同じ基本的な炭素骨格および炭素官能基を含むが、それらに対する１つまたはそれ以上の置換も含有することができる物質を指す。本明細書で使用される場合、「置換」という用語は、化合物上の少なくとも１つの置換基の残基Ｒによる置き換えを指すと理解されるだろう。ある特定の非限定的な実施形態では、Ｒは、Ｈ、ヒドロキシル、チオール、フッ化物、塩化物、臭化物またはヨウ化物から選択されるハロゲン化物、以下：場合により置換されている、直鎖、分枝または環状アルキル、および直鎖、分枝または環状アルケニルのうちの１つから選択されるＣ１−Ｃ４化合物を含んでもよく、任意選択の置換基は、１つまたはそれ以上のアルケニルアルキル、アルキニルアルキル、シクロアルキル、シクロアルケニルアルキル、アリールアルキル、ヘテロアリールアルキル、複素環アルキル、場合により置換されているヘテロシクロアルケニルアルキル、アリールシクロアルキル、およびアリールヘテロシクロアルキルから選択され、それらの各々は場合により置換されており、任意選択の置換基は、アルケニルアルキル、アルキニルアルキル、シクロアルキル、シクロアルケニルアルキル、アリールアルキル、アルキルアリール、ヘテロアリールアルキル、複素環アルキル、場合により置換されているヘテロシクロアルケニルアルキル、アリールシクロアルキル、およびアリールヘテロシクルアルキル、フェニル、シアノ、ヒドロキシル、アルキル、アリール、シクロアルキル、シアノ、アルコキシ、アルキルチオ、アミノ、−ＮＨ（アルキル）、−ＮＨ（シクロアルキル）２、カルボキシ、および−Ｃ（Ｏ）−アルキルのうちの１つまたは複数から選択される。
【００２６】
本明細書で使用される場合、「サンプル」という用語は、本開示に従って利用することができる任意の種類の生体サンプルを含むと理解されるだろう。利用することができる流体生体サンプルの例には、限定されないが、全血またはそのいずれかの部分（すなわち、血漿または血清）、尿、唾液、痰、脳脊髄液（ＣＳＦ）、皮膚、腸液、腹腔内液、嚢胞液、汗、間質液、細胞外液、涙、粘液、膀胱洗浄液、精液、糞便、胸膜液、鼻咽頭液、それらの組合せなどが含まれる。
【００２７】
本開示のある特定の非限定的な実施形態は、ビオチンアッセイ組成物ならびにそれを含有するキットおよびその使用方法を対象とする。一部のアッセイの実施形態では、シグナル生成システム（ｓｐｓ）メンバーは、例えば、光増感剤のような増感剤、および化学発光組成物を含み；これらのアッセイの実施形態では、増感剤の活性化の結果、化学発光組成物を活性化する産生物が生じ、それによって検出される結合および／または非結合ビオチンの量と関連する検出可能なシグナルを生成する。本開示が基づくことができるアッセイプラットフォームの例示的（しかし非限定的）な実施形態は、発光酸素チャネリングアッセイ（Ｌｕｍｉｎｅｓｃｅｎｃｅ  Ｏｘｙｇｅｎ  Ｃｈａｎｎｅｌｉｎｇ  Ａｓｓａｙ）（ＬＯＣＩ（登録商標）；Ｓｉｅｍｅｎｓ  Ｈｅａｌｔｈｃａｒｅ  Ｄｉａｇｎｏｓｔｉｃｓ  Ｉｎｃ．、Ｔａｒｒｙｔｏｗｎ、ＮＹ）である。ＬＯＣＩ（登録商標）アッセイは、例えば、米国特許第５，３４０，７１６号（Ｕｌｌｍａｎら）に記載されており、それらの全体の内容は参照によって明示的に本明細書に組み入れる。
【００２８】
本開示のある特定の非限定的な実施形態は、サンプル中のビオチンの濃度を決定するための化学発光検出システムを含有するキットを対象とする。キットは：（ａ）化学発光化合物に直接的または間接的に結合しているビオチンまたはその類似体（例えば、限定されないが、４’−ヒドロキシアゾベンゼン−２−カルボン酸（ＨＡＢＡ））を有する一重項酸素により活性化可能な化学発光化合物を含む組成物と；（ｂ）一重項酸素をその励起状態において生成することができ、増感剤に直接的または間接的に結合しているアビジンまたはその類似体（例えば、限定されないが、ストレプトアビジンまたはトラプトアビジン）を有することができる増感剤を含む組成物であって、アビジン／アビジン類似体はサンプル中のビオチンまたは（ａ）に結合することができる、組成物とを含む。
【００２９】
化学発光化合物（化学発光物質（ｃｈｅｍｉｌｕｍｉｎｅｓｃｅｒ））は、化学的に活性化可能であり、そのような活性化の結果として、ある特定の波長で光を発する化合物である。例示を目的とし、限定ではない化学発光物質の例には：一重項酸素または過酸化物と反応してヒドロペルオキシドまたはジオキセタンを形成することができるオレフィン、これはケトンまたはカルボン酸誘導体に分解することができる；光の作用によって分解することができる安定なジオキセタン；一重項酸素と反応してジケトンを形成することができるアセチレン；（限定されないが）ルミノールのようなアゾ化合物またはアゾカルボニルを形成することができるヒドラゾンまたはヒドラジド；および例えば、エンドペルオキシドを形成することができる芳香族化合物が含まれる。活性化反応の結果として、化学発光物質は直接的または間接的に発光を引き起こす。
【００３０】
ある特定の実施形態では、一重項酸素により活性化可能な化学発光化合物は、一重項酸素との化学反応を起こして、同時または後の発光により分解することができる準安定中間体種を形成する物質であり得る。化学発光化合物を含む組成物は活性化された化学発光化合物によって直接励起される；あるいは組成物は活性化された化学発光化合物によって励起される少なくとも１つの蛍光分子をさらに含んでもよい。
【００３１】
増感剤は、化学発光化合物の活性化のための、例えば、一重項酸素のような反応中間体を生じる、分子、通常、化合物である。一部の実施形態では、増感剤は光増感剤である。（例えば、酵素および金属塩によって）化学的に活性化される（ｃｈｅｍｉ−ａｃｔｉｖａｔｅｄ）他の増感剤には、例を目的とし、限定ではない、外部光源によって活性化されてまたは活性化されずに一重項酸素を生じることができる他の物質および組成物が含まれる。例えば、ある特定の化合物は、過酸化水素の一重項酸素および水への変換を触媒することが示されている。他の増感剤物質および組成物の非限定的な例には：アルカリ土類金属Ｃａ、ＳｒおよびＢａの酸化物；ｄ０配置の３Ａ、４Ａ、ＳＡおよび６Ａ族の元素の誘導体；アクチニドおよびランタニドの酸化物；ならびに酸化剤ＣｌＯ−、ＢｒＯ−、Ａｕ３＋、ＩＯ３−およびＩＯ４−；ならびに特に、モリブデン酸イオン、ペルオキソモリブデン酸イオン、タングステン酸イオンおよびペルオキソタングステン酸イオン、ならびにアセトニトリルが含まれる。それらの全体を参照によって明示的に本明細書に組み入れる以下の参考文献は、現在開示され、請求されている発明概念の範囲内でもある増感剤物質および組成物に関するさらなる開示を提供する：Ａｕｂｒｙ、Ｊ．Ａｍ．Ｃｈｅｍ．Ｓｏｃ．、１０７：５８４４〜５８４９（１９８５）；Ａｕｂｒｙ、Ｊ．Ｏｒｇ．Ｃｈｅｍ．、５４：７２６〜７２８（１９８９）；ＢｏｈｍｅおよびＢｒａｕｅｒ、Ｉｎｏｒｇ．Ｃｈｅｍ．、３１：３４６８〜３４７１（１９９２）；ＮｉｕおよびＦｏｏｔｅ、Ｉｎｏｒｇ．Ｃｈｅｍ．、３１：３４７２〜３４７６（１９９２）；Ｎａｒｄｅｌｌｏら、Ｉｎｏｒｇ．Ｃｈｅｍ．、３４：４９５０〜４９５７（１９９５）；ＡｕｂｒｙおよびＢｏｕｔｔｅｍｙ、Ｊ．Ａｍ．Ｃｈｅｍ．Ｓｏｃ．、１１９：５２８６〜５２９４（１９９７）；ならびにＡｌｍｅｉｄａら、Ａｎａｌ．Ｃｈｉｍ．Ａｃｔａ、４８２：９９〜１０４（２００３）；これらの各々の全体の内容は参照によって明示的に本明細書に組み入れる。
【００３２】
光増感剤の範囲内には、真の増感剤ではないが、熱、光、電離放射線または化学活性化による励起で一重項酸素の分子を放出する化合物も含まれる。このクラスの化合物のメンバーには、例えば（限定する目的ではないが）、１，４−ビスカルボキシエチル−１，４−ナフタレンエンドペルオキシド；９，１０−ジフェニルアントラセン−９，１０−エンドペルオキシド；および５，６，１１，１２−テトラフェニルナフタレン５，１２−エンドペルオキシドのようなエンドペルオキシドが含まれる。加熱またはこれらの化合物による光の直接吸収は一重項酸素を放出する。
【００３３】
光増感剤は、例えば、光による励起による一重項酸素の生成によって光活性化合物を活性化するための増感剤である。光増感剤は光活性化可能であり、例えば、色素および芳香族化合物を含み、通常、複数の共役二重または三重結合を有する、通常、共有結合原子からなる化合物である。化合物は、励起波長において、５００Ｍ−１ｃｍ−１より大きい、または５，０００Ｍ−１ｃｍ−１より大きい、または５０，０００Ｍ−１ｃｍ−１より大きい、その吸収最大における吸光係数で、（限定されないが）約３００ｎｍ〜約１，０００ｎｍの範囲または約４５０ｎｍ〜９５０ｎｍの範囲のような約２００ｎｍ〜約１，１００ｎｍの波長範囲の光を吸収すべきである。光増感剤は比較的光安定性であるべきであり、一重項酸素と効率的に反応しなくてもよい。例示を目的とし、限定ではない、光増感剤の例には：アセトン；ベンゾフェノン；９−チオキサントン；エオシン；９，１０−ジブロモアントラセン；メチレンブルー；（限定されないが）ヘマトポルフィリンのようなメタロ−ポルフィリン；フタロシアニン；クロロフィル；ローズベンガル；およびバックミンスターフラーレン；ならびにこれらの化合物の誘導体が含まれる。
【００３４】
したがって、本開示のある特定の非限定的な実施形態は、サンプル中のビオチンの濃度を決定するための化学発光検出システムを含有するキットであって：（ａ）化学発光化合物に直接的または間接的に結合しているビオチンまたはその類似体を有する一重項酸素により活性化可能な化学発光化合物を含む組成物と；（ｂ）一重項酸素をその励起状態において生成することができ、増感剤に直接的または間接的に結合しているトラプトアビジンを有することができる増感剤を含む組成物であって、トラプトアビジンはサンプル中のビオチンまたは（ａ）に結合することができる、組成物とを含む、キットを対象とする。他の非限定的な実施形態では、キットは：（ａ）化学発光化合物に直接的または間接的に結合しているビオチン類似体を有する一重項酸素により活性化可能な化学発光化合物を含む組成物と；（ｂ）一重項酸素をその励起状態において生成することができ、増感剤に直接的または間接的に結合しているアビジンまたはその類似体を有することができる増感剤を含む組成物であって、アビジンまたはその類似体はサンプル中のビオチンまたは（ａ）に結合することができる、組成物とを含む。さらに他の非限定的な実施形態では、キットは：（ａ）化学発光化合物に直接的または間接的に結合している４’−ヒドロキシアゾベンゼン−２−カルボン酸（ＨＡＢＡ）を有する一重項酸素により活性化可能な化学発光化合物を含む組成物と；（ｂ）一重項酸素をその励起状態において生成することができ、増感剤に直接的または間接的に結合しているトラプトアビジンを有することができる増感剤を含む組成物であって、トラプトアビジンはサンプル中のビオチンまたは（ａ）に結合することができる、組成物とを含む。
【００３５】
特に、本開示に従って利用することができる化学発光化合物を含む組成物および／または増感剤を含む組成物の非限定的な例は、米国特許第５，３４０，７１６号；同第５，５３８，８３４号；同第５，５４５，８３４号；同第５，５７８，４９８号；同第５，６１８，７３２号；同第５，６７２，４７８号；同第５，７０９，９９４号；同第５，８１１，３１１号；同第５，７８０，６４６号；同第５，９２９，０４９号；同第５，９３６，０７０号；同第６，００２，０００号；同第６，１４３，５１４号；同第６，１８０，３５４号；同第６，２５１，５８１号；同第６，３４０，５９９号；同第６，４０６，９１３号；同第６，４０６，６６７号；同第６，４８９，３０９号；同第６，６９２，９７５号；同第６，７０３，２４８号；同第６，７９７，４８１号；同第６，９１６，６６７号；同第６，９４９，５２４号；同第７，０２２，５２９号；同第７，０３３，７７５号；同第７，１０１，６８２号；同第７，１７９，６６０号；同第７，２２９，８４２号；および同第７，７０９，２７３号に示されており；それらの各々の全体の内容は参照によって明示的に本明細書に組み入れる。
【００３６】
特定の（しかし非限定的な）実施形態では、（ａ）および（ｂ）の組成物は、（限定されないが）ビーズ、球、回転楕円体またはリポソームのような粒子であり、それらは、それらに連結され、および／またはそれらの中に配置された他の列挙された成分を有する。本開示に従って利用することができる特定の（しかし非限定的な）粒子の例は、（限定されないが）ラテックスビーズのようなラテックス粒子である。（ａ）および（ｂ）の組成物として利用することができる粒子の種類の他の非限定的な例は上記の段落に列挙された特許に開示されている。
【００３７】
当該技術分野において公知であるか、またはそうでなければ本明細書で企図される任意のビオチン類似体は、ビオチン類似体が：（１）一重項酸素により活性化可能な化学発光化合物と会合することができ；かつ（２）増感剤と会合するアビジンまたはその類似体に結合することができ、それによってサンプル中に存在する任意のビオチンに対する競合相手として機能することができる限り、本開示に従って利用することができる。本開示に従って利用することができるビオチン類似体の例には、限定されないが、Ａｔｈａｐｐｉｌｌｙら（Ｐｒｏｔｅｉｎ  Ｓｃｉｅｎｃｅ（１９９７）６：１３３８〜１３４２）、Ｔｏｒｒｅｇｇｉａｎｉら（Ｂｉｏｓｐｅｃｔｒｏｓｃｏｐｙ（１９９８）４：１９７〜２０８）、Ｌｅｖｅｒｔら（Ｊ  Ｂｉｏｌ  Ｃｈｅｍ（２００２）２７７：１６３４７〜１６３５０）、Ｙａｍａｍｏｔｏら（Ｃｈｅｍ  Ａｓｉａｎ  Ｊ、（２０１５）１０：１０７１〜８）に開示されているものが含まれ、それらの各々の全体の内容は参照によって明示的に本明細書に組み入れる。ビオチン類似体の特に非限定的な例には、４’−ヒドロキシアゾベンゼン−２−カルボン酸（ＨＡＢＡ）、イミノビオチン（例えば、限定されないが、２−イミノ−ビオチン（ＩＭＢｉｏ））、ビオチンカーボネート、ビオチンカルバメート、ビオチンメチルエステル（ＭＥＢｉｏ）、デスチオビオチン（ＤＥＢｉｏ）（例えば、限定されないが、ｄ−デスチオビオチン、ｄｌ−デスチオビオチン、ｄｌ−デスチオビオチンメチルエステルおよびｄｌ−デスチオビオチノール）、ジアミノビオチン（ＤＡＢｉｏ）、クロロアセチル化ビオチン、ビオチンスルホン、チオビオチン（ｔｈｉｏｂｉｏｔｉｎ）（例えば、限定されないが、２−チオビオチン）、メトキシカルボニルビオチンメチルエステル（１’−Ｎ−メトキシカルボニルビオチンメチルエステルおよび３’−Ｎ−メトキシカルボニルビオチンメチルエステル）、ビス−ビオチン（例えば、限定されないが、ビス−ビオチンリン酸エステル）、テトラ−ビオチン、上記のいずれかのエステル、塩および／または誘導体などが含まれる。特定の（しかし非限定的な）例では、ビオチン類似体はＨＡＢＡまたはイミノビオチンである。
【００３８】
当該技術分野において公知であるか、またはそうでなければ本明細書で企図される任意のアビジン類似体は、アビジンまたはアビジン類似体が：（１）増感剤と会合することができ；かつ（２）サンプル中に存在する任意のビオチンに結合することができ；かつ（３）また、一重項酸素により活性化可能な化学発光化合物と会合するビオチンまたはその類似体に結合することができる限り、本開示に従って利用することができる。本開示に従って利用することができるアビジン類似体の非限定的な例には、Ｋａｎｇら（Ｊ  Ｄｒｕｇ  Ｔａｒｇｅｔ（１９９５）３：１５９〜６５）に開示されているものが含まれ、その全体の内容は参照によって明示的に本明細書に組み入れる。アビジン類似体の特定の非限定的な例には、アビジン、ストレプトアビジン、トラプトアビジン、中性アビジン、ニュートラライトアビジン（Ｎｅｕｔｒａｌｉｔｅ  ａｖｉｄｉｎ）、ニュートラアビジン（Ｎｅｕｔｒａｖｉｄｉｎ）、ライト−アビジン（Ｌｉｔｅ−ａｖｉｄｉｎ）、スクシニル化アビジン、修飾もしくは遺伝子操作されたアビジンの他の形態、上記のいずれかのエステル、塩および／または誘導体などが含まれる。
【００３９】
組成物／キット／方法の試薬は、本開示に従ってそれらが機能することができる任意の形態で提供される。例えば、限定の目的ではないが、試薬の各々は、液体形態で提供され、キット内にバルクおよび／または単一のアリコート形態で配置される。あるいは、特に（しかし非限定的な）実施形態では、試薬の１つまたはそれ以上は、単一のアリコートの凍結乾燥試薬の形態でキット内に配置される。マイクロ流体デバイスにおける乾燥試薬の使用は米国特許第９，２４４，０８５号（Ｓａｍｐｒｏｎｉ）に詳細に記載されており、それらの全体の内容は参照によって明示的に本明細書に組み入れる。
【００４０】
本明細書上記で詳細に記載される試薬に加えて、キットは、本明細書に記載されるか、またはそうでなければ企図される特定のアッセイのいずれかを行うための他の試薬をさらに含有してもよい。これらのさらなる試薬の性質は特定のアッセイ形式に依存し、それらの同定は十分に当業者の技術の範囲内である；したがってそれらのさらなる説明は必要ないと考えられる。また、キットに存在する成分／試薬の各々は別個の容器／区画にあってもよいか、または種々の成分／試薬が、成分／試薬の交差反応および安定性に応じて、１つもしくはそれ以上の容器／区画内に合わせられる。さらに、キットは、成分／試薬が配置されているマイクロ流体デバイスを含んでもよい。
【００４１】
キット内の種々の成分／試薬の相対量は、アッセイ方法の間に発生することを必要とする反応を十分に最適化し、さらに、アッセイの感度を十分に最適化する濃度の成分／試薬を提供するために広範に変更することができる。適切な状況下で、キット内の成分／試薬の１つまたはそれ以上は凍結乾燥粉末のような乾燥粉末として提供することができ、キットは乾燥試薬を溶解するための賦形剤をさらに含んでもよい；このように、本開示に従って方法またはアッセイを実施するための適切な濃度を有する試薬溶液はこれらの成分から得ることができる。陽性および／または陰性対照もまた、キット内に含んでもよい。さらに、キットは、キットの使用方法を説明している書面の説明書のセットをさらに含んでもよい。この性質のキットは、本明細書に記載されるか、またはそうでなければ企図される方法のいずれかにおいて使用することができる。
【００４２】
本開示のある特定のさらなる非限定的な実施形態は、本明細書上記に記載されるキットのいずれかの成分を含むマイクロ流体デバイスを対象とする。特に、ある特定の非限定的な実施形態は、サンプル中のビオチンの濃度を決定するためのマイクロ流体デバイスであって：（ａ）サンプルが適用される入口チャネルと；（ｂ）入口チャネルと流体連絡することができる少なくとも第１の区画であって、一重項酸素をその励起状態において生成することができ、増感剤に直接的または間接的に結合している任意のアビジンまたはその類似体を有することができる増感剤を含有する、第１の区画と；（ｃ）第１の区画と流体連絡することができる少なくとも第２の区画であって、化学発光化合物に直接的または間接的に結合しているビオチンまたはその類似体を有する一重項酸素により活性化可能な化学発光化合物を含む組成物を含有する、第２の区画とを含む、マイクロ流体デバイスを含む。
【００４３】
本明細書上記に詳細に記載されるか、またはそうでなければ本明細書に企図される増感剤、アビジンまたはその類似体、一重項酸素により活性化可能な化学発光化合物、およびビオチンまたはその類似体のいずれかは、本開示のマイクロ流体デバイスにおいて利用することができる。
【００４４】
ある特定の（しかし非限定的な）実施形態では、（ｂ）の増感剤は、それに直接的または間接的に結合しているアビジン類似体を有する。使用することができるアビジン類似体の特定の非限定的な例には、アビジン、ストレプトアビジン、トラプトアビジン、中性アビジン、ニュートラライトアビジン、ニュートラアビジン、ライト−アビジン、スクシニル化アビジン、および修飾または遺伝子操作されたアビジンの他の形態、ならびに上記類似体のいずれかの任意のエステル、塩、または誘導体が含まれる。
【００４５】
ある特定の（しかし非限定的な）実施形態では、（ｃ）の一重項酸素により活性化可能な化学発光化合物は、それに直接的または間接的に結合しているビオチン類似体を有する。使用することができるビオチン類似体の非限定的な例には、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、およびテトラ−ビオチン、ならびに上記類似体のいずれかの任意のエステル、塩、または誘導体が含まれる。使用することができるビオチン類似体の特定の非限定的な例は、４’−ヒドロキシアゾベンゼン−２−カルボン酸（ＨＡＢＡ）である。
【００４６】
１つの非限定的な実施形態では、（ｂ）の増感剤は、それに直接的または間接的に結合しているトラプトアビジンを有し、および／または（ｃ）の一重項酸素により活性化可能な化学発光化合物は、それに直接的または間接的に結合しているＨＡＢＡを有する。
【００４７】
デバイスは、本開示に従ってそのデバイスが機能することを可能にする、区画の任意の配列およびそれらの間の２つの成分の分配を提供することができる。
【００４８】
マイクロ流体デバイスの区画のいずれかは、試薬を使用するまで、実質的に気密環境でその中に配置される試薬を維持するために封止され；例えば、凍結乾燥試薬を含有する区画は試薬のあらゆる意図的でない再構成を阻止するために封止される。入口チャネルおよび区画、ならびに２つの区画は互いに「流体連絡することができる」と記載され；この語句は、区画の各々を常に封止することができるが、２つの区画はそれらの中またはそれらの間に形成される封止が破壊されるとそれらの間に流体が流れることができることを示す。
【００４９】
本開示のマイクロ流体デバイスは、当該技術分野において公知であるか、またはそうでなければ本明細書に企図される任意の他の所望の機能を提供することができる。例えば、限定する目的ではないが、本開示のマイクロ流体デバイスは読み取りチャンバをさらに含んでもよく；読み取りチャンバは本明細書上記に記載される試薬を含有する区画のいずれかであってもよいか、または読み取りチャンバは前記区画と流体連絡することができる。マイクロ流体デバイスは、（限定されないが）洗浄液、希釈液、賦形剤、干渉液、陽性対照、陰性対照、品質対照などのような他の溶液を含有する１つまたはそれ以上のさらなる区画をさらに含んでもよい。これらのさらなる区画は他の区画の１つまたはそれ以上と流体連絡することができる。例えば、マイクロ流体デバイスは洗浄液を含有する１つまたはそれ以上の区画をさらに含んでもよく、これらの区画はデバイスのいずれかの他の区画と流体連絡することができる。別の例では、マイクロ流体デバイスは１つまたはそれ以上の乾燥試薬を溶解するための賦形剤を含有する１つまたはそれ以上の区画をさらに含んでもよく、区画はデバイスのいずれかの他の区画と流体連絡することができる。なおさらなる例では、マイクロ流体デバイスは希釈液を含有する１つまたはそれ以上の区画を含んでもよく、区画はデバイスのいずれかの他の区画と流体連絡することができる。
【００５０】
さらに、本明細書に記載されるか、またはそうでなければ企図されるキット／マイクロ流体デバイスのいずれかは、単一のキット／デバイスにおいて多重化される複数のアッセイを含んでもよい。複数のアッセイが存在する場合、アッセイの各々は本明細書に記載されるように構成することができ、機能することができる。あるいは、本明細書に記載されるアッセイは、本開示のキット／マイクロ流体デバイス内に含有することができる当該技術分野において公知である任意の他のアッセイと多重化される。本明細書に開示され、請求されるアッセイと多重化される他のアッセイの非限定的な例には、ＢＮＰ、ＮＴ−ｐｒｏＢＮＰ、Ｄ−Ｄｉｍｅｒ、ＣＫＭＢ、ミオグロビン、ミエロペルオキシダーゼ、ＳＴ２、ＰＣＴ、ｈＣＧ、ＬＨ、ＦＳＨ、ｉＰＴＨ、ＴＳＨ、ｆＴ４、Ｔ４、ＰＳＡ、ｆＰＳＡ、およびｃＰＳＡ、ならびにそれらの組合せが含まれる。
【００５１】
複数のアッセイが単一のマイクロ流体デバイスに存在する場合、複数の入口チャネルをサンプル適用チャンバに接続することができる。ある特定の実施形態では、サンプルの一部は、その内容物にかかわらず、サンプル適用チャンバから複数の入口チャネルまで通過することができる。あるいは、ある特定の成分のサンプル全体からの分離および前記成分の異なるアッセイへの送達を可能にする構造が、サンプル適用チャンバ、入口チャネル、および／またはそれらの間の接続部に存在してもよい。本開示に従って利用することができるサンプル分配デバイスの非限定的な例は、米国特許第９，４１６，７７６号（Ｌｅｄｄｅｎら）に詳細に記載され、それらの全体の内容は参照によって明示的に本明細書に組み入れる。
【００５２】
ある特定の非限定的な実施形態はまた、サンプル中のビオチンの存在および／または濃度を検出するための方法も対象とする。この方法は：（ａ）（１）ビオチンを含有すると疑われるサンプルと；（２）化学発光化合物に直接的または間接的に結合しているビオチンまたはビオチン類似体を有する一重項酸素により活性化可能な化学発光化合物を含む組成物と；（３）一重項酸素をその励起状態において生成することができ、増感剤に直接的または間接的に結合しているアビジンまたはアビジン類似体を有することができる増感剤を含む過剰な組成物とを同時にまたは全体的もしくは部分的に連続して合わせる工程と；（ｂ）サンプル中に存在するビオチンまたは（２）への（３）の結合を可能にする工程であって、ビオチンの不在下で、複合体が（２）と（３）との間で形成され、増感剤が化学発光化合物に近接している、工程と；（ｃ）増感剤を活性化して一重項酸素を生成する工程であって、複合体に存在する増感剤の活性化によって、複合体に存在する化学発光化合物の活性化が引き起こされる、工程と；（ｄ）活性化された化学発光化合物によって生じる化学発光の量を決定する工程と；（ｅ）場合によって、工程（ｂ）〜（ｄ）を反復する工程と；（ｆ）このように生成された化学発光の量を分析することによってビオチンの存在および／または濃度を検出する工程であって、化学発光の量はサンプル中のビオチンの量と反比例する、工程とを含む。
【００５３】
ビオチンの存在についてのアッセイが所望される任意のサンプルを、本開示の方法に従ってサンプルとして利用することができる。サンプルの非限定的な例には、限定されないが、全血またはそのいずれかの部分（すなわち、血漿または血清）、尿、唾液、痰、脳脊髄液（ＣＳＦ）、皮膚、腸液、腹腔内液、嚢胞液、汗、間質液、細胞外液、涙、粘液、膀胱洗浄液、精液、糞便、胸膜液、鼻咽頭液、およびそれらの組合せのような生体サンプルが含まれる。特定の非限定的な例には、溶解全血細胞および溶解赤血球が含まれる。
【００５４】
本明細書上記に詳細に記載されるか、またはそうでなければ本明細書に企図される増感剤、アビジンまたはその類似体、一重項酸素により活性化可能な化学発光化合物、およびビオチンまたはその類似体のいずれかは、本開示のマイクロ流体デバイスに利用することができる。
【００５５】
ある特定の（しかし非限定的な）実施形態では、工程（ａ）（２）の一重項酸素により活性化可能な化学発光化合物は、それに直接的または間接的に結合しているビオチン類似体を有する。使用することができるビオチン類似体の非限定的な例には、４’−ヒドロキシアゾベンゼン−２−カルボン酸（ＨＡＢＡ）、イミノビオチン、ビオチンカーボネート、ビオチンカルバメート、ビオチンメチルエステル、デスチオビオチン、ジアミノビオチン、クロロアセチル化ビオチン、ビオチンスルホン、チオビオチン、メトキシカルボニルビオチンメチルエステル、ビス−ビオチン、およびテトラ−ビオチン、ならびに上記類似体のいずれかの任意のエステル、塩、または誘導体が含まれる。使用することができるビオチン類似体の特定の非限定的な例は、４’−ヒドロキシアゾベンゼン−２−カルボン酸（ＨＡＢＡ）である。
【００５６】
ある特定の（しかし非限定的な）実施形態では、工程（ａ）（３）の増感剤はそれに直接的または間接的に結合しているアビジン類似体を有する。使用することができるアビジン類似体の特定の非限定的な例には、アビジン、ストレプトアビジン、トラプトアビジン、中性アビジン、ニュートラライトアビジン、ニュートラアビジン、ライト−アビジン、スクシニル化アビジン、および修飾もしくは遺伝子操作されたアビジンの他の形態、ならびに上記類似体のいずれかの任意のエステル、塩、または誘導体が含まれる。
【００５７】
一つの非限定的な実施形態では、工程（ａ）（２）の一重項酸素により活性化可能な化学発光化合物は、それに直接的または間接的に結合しているＨＡＢＡを有し、および／または工程（ａ）（３）の増感剤は、それに直接的または間接的に結合しているトラプトアビジンを有する。
【００５８】
ビオチンがサンプル中に存在しない場合、増感剤および化学発光化合物の複合体が形成され、シグナルが生成される。対照的に、ビオチンがサンプル中に存在する場合、それは増感剤に結合しているアビジン／アビジン類似体に結合し、複合体の形成を阻止し、それによってシグナルの生成を阻止する。したがって、サンプル中に存在するビオチンの量は生成されるシグナルの量と反比例する。
【００５９】
上述のように、方法の種々の成分は、（同時にまたは連続してのいずれかで）組み合わせて提供される。方法の種々の成分が連続して添加される場合、成分の添加の順序を変更させてもよく；当業者は、アッセイへの異なる成分の添加の特定の所望の順序を決定することができる。添加の最も簡単な順序は、もちろん、全ての材料を同時に添加し、それらから生成されたシグナルを決定することである。あるいは、成分の各々、または成分のグループを連続して合わせることができる。ある特定の実施形態では、インキュベーション工程が、上記で論述した各々の添加の後に必要とされる。
【００６０】
代替の（しかし非限定的な）実施形態では、方法の工程（ａ）は、サンプルを、増感剤に結合しているアビジン／アビジン類似体を有する増感剤を含む組成物と最初に合わせる工程と、それをインキュベートし、その後、化学発光化合物に結合しているビオチン／ビオチン類似体を有する一重項酸素により活性化可能な化学発光化合物を含む組成物を添加する工程とを含む。
【００６１】
本明細書に記載されるか、またはそうでなければ企図されるキット、マイクロ流体デバイス、または方法のいずれかの非限定的な実施形態では、増感剤は光増感剤であり得る。したがって、光増感剤の活性化は光による照射を含む。
【００６２】
本明細書に記載されるか、またはそうでなければ企図されるキット、マイクロ流体デバイス、または方法のいずれかの非限定的な実施形態では、一重項酸素により活性化可能な化学発光化合物は、一重項酸素との化学反応を起こして、同時または後の発光により分解することができる準安定中間体種を形成する物質であり得る。
【００６３】
さらに、本明細書に記載されるか、またはそうでなければ企図されるキット、マイクロ流体デバイス、または方法のいずれかの非限定的な実施形態では、化学発光化合物を含む組成物は、活性化された化学発光化合物によって励起される少なくとも１つの蛍光分子をさらに含んでもよい。この場合、本明細書に記載されるか、またはそうでなければ企図される方法は、蛍光分子によって発せられた光の量を測定してサンプル中の検体の量を決定する工程をさらに含んでもよい。
【実施例】
【００６４】
実施例を本明細書以下に提供する。しかしながら、本開示は、その適用において、本明細書に開示される特定の実験、結果、および実験手順に限定されないことは理解されるべきである。むしろ、実施例は種々の実施形態の１つとして単に提供され、包括的ではなく、例示的であることを意図する。
【実施例１】
【００６５】
本開示は、広範なアッセイ範囲を有するロバストなビオチンＬＯＣＩ（登録商標）アッセイを対象とした。この実施例のある特定の非限定的な実施形態に使用したサンプルサイズは約２０μｌであった；しかしながら、より小さなサンプルサイズ（例えば、限定されないが、約３μｌ）を使用することによって、より拡張したアッセイ範囲（例えば、１，５００ｎｇ／ｍｌまでまたはさらに４０，０００ｎｇ／ｍｌ）を有するビオチンアッセイを達成することができる。しかしながら、これらのサンプルサイズは本開示を限定すると解釈されるべきではない；アッセイすることができる任意のサンプルサイズの使用は本開示の範囲内である。例えば（しかし限定の目的ではない）、サンプルサイズは、約０．１μｌ〜約１，０００μｌの範囲内、もしくは約０．５μｌ〜約１００μｌの範囲内、もしくは約１μｌ〜約５０μｌの範囲内であってもよいか、または上記の範囲のいずれかの範囲内である任意の整数もしくは非整数のパーセンテージの値であってもよい。
【００６６】
ビオチンＬＯＣＩ（登録商標）アッセイを図１に概略的に示し、本明細書以下に詳細に記載する。
【００６７】
ビオチンＬＯＣＩ（登録商標）アッセイは：（ｉ）ビオチンもしくはビオチン類似体（例えば、限定されないが、４’−ヒドロキシアゾベンゼン−２−カルボン酸（ＨＡＢＡ）、または本明細書に開示されるか、もしくはそうでなければ企図される任意の他のビオチン類似体）により被覆したケミビーズ（ＣＢ）と；（ｉｉ）アビジンまたはアビジン類似体（例えば、限定されないが、ストレプトアビジン、トラプトアビジン、または本明細書に開示されるか、もしくはそうでなければ企図される任意の他のアビジン類似体）により被覆したセンシビーズ（ＳＢ）とを含む。ビオチン／ビオチン類似体により被覆したケミビーズは、アビジン／アビジン類似体により被覆したセンシビーズへの結合に対して患者サンプル中の遊離ビオチンと競合する。患者における遊離ビオチン濃度が高くなるほど、ケミビーズおよびセンシビーズの結合の観察はより少なくなり、その結果、逆曲線を得た。この実施例および後の実施例に記載したように、ビオチン／ビオチン類似体により被覆したケミビーズおよびアビジン／アビジン類似体により被覆したセンシビーズを使用したこのビオチンＬＯＣＩ（登録商標）アッセイの実行可能性を実証した。
【００６８】
上記に基づいて、ビオチンアッセイ（例としてビオチンＬＯＣＩ（登録商標）アッセイを使用した）を開発した。アッセイの最初のステップは、過剰な量のアビジン／アビジン類似体により被覆したセンシビーズ（例えば、限定されないが、トラプトアビジンにより被覆したセンシビーズ）のサンプルとのインキュベーションを含み、その結果、サンプル中に存在する任意の遊離ビオチンをセンシビーズによって「閉じ込める（ｌｏｃｋｅｄ−ｉｎ）」ことができた。次いでビオチン／ビオチン類似体により被覆したケミビーズ（例えば、限定されないが、ビオチンにより被覆したまたはＨＡＢＡにより被覆したケミビーズ）を添加して、ビオチン−アビジン結合から残っていた結合部位を捕捉した。ビオチンがサンプル中に存在しない場合、アビジン／アビジン類似体により被覆したセンシビーズはビオチン／ビオチン類似体により被覆したケミビーズに結合し、シグナルが生成した（図１の上側パネル）。ビオチンがサンプル中に存在する場合、サンプルビオチンはアビジン／アビジン類似体により被覆したセンシビーズに結合し、センシビーズはビオチン／ビオチン類似体により被覆したケミビーズにもはや結合できなくなった（図１の下側パネル）。したがって、患者サンプル中の遊離ビオチン濃度が高くなるほど、ケミビーズおよびセンシビーズの結合の観察はより少なくなり、その結果、逆標準曲線を得た。
【実施例２】
【００６９】
この実施例では、実施例１に記載したビオチンＬＯＣＩ（登録商標）アッセイを、ビオチンにより被覆したケミビーズ（ＣＢ）およびストレプトアビジンにより被覆したセンシビーズ（ＳＢ）を使用して実施した。利用したサンプルサイズは２０μｌであった。総反応体積は２１８μｌであり、最初の結果までの時間は１６分であった。
【００７０】
このビオチンＬＯＣＩ（登録商標）アッセイから得たデータを図２および表１に示す。見ることができるように、任意の現在利用可能なビオチンアッセイより非常に広範囲のビオチン濃度にわたって標準曲線を得た。
【００７１】
【表１】
2021532366.tif 000003
【実施例３】
【００７２】
実施例１および２に記載したビオチンＬＯＣＩ（登録商標）アッセイの実施形態に加えて、ビオチンＬＯＣＩ（登録商標）アッセイのある特定のさらなる非限定的な実施形態は、ビオチン類似体および／またはアビジン類似体の使用を含む。例えば（しかし限定の目的ではない）、ビオチンＬＯＣＩ（登録商標）アッセイにおけるＨＡＢＡにより被覆したケミビーズおよび／またはトラプトアビジンにより被覆したセンシビーズの使用は従来技術よりも多くの利点を提供する。第１に、ＨＡＢＡは、アビジン（またはストレプトアビジンまたはトラプトアビジン）と弱く結合する色素であり、アビジンまたはその類似体へのＨＡＢＡの結合はビオチンより弱く；結果として、ＨＡＢＡの使用はビオチンアッセイに対して、より高い感度を提供する。なぜならＨＡＢＡはセンシビーズに結合しているビオチンに対する捕捉剤（競合相手ではない）として機能するからである。第２に、その特有の性質に起因して、トラプトアビジンは２分の１のオンレートおよび１０分の１のオフフレートで遊離ビオチンに結合する。したがって、トラプトアビジンの使用は遊離ビオチンに対する「ロック（ｌｏｃｋｉｎｇ）」機構を提供する。なぜならビオチンがトラプトアビジンに結合すると、それは結合部位からほとんど解離しないからである。
【００７３】
トラプトアビジンにより被覆したセンシビーズを使用した場合、ビオチン−トラプトアビジン結合は最小のビオチン解離でサンプルビオチンを適所に「ロックし」、それによって添加したケミビーズはトラプトアビジン結合に対してサンプルビオチンと競合しない；したがって、トラプトアビジンにより被覆したセンシビーズの使用により、よりロバストな精度を有するハプテンアッセイを創出する。さらに、サンプルビオチンとの競合がないことに起因して、アッセイシグナルは、より広い動的範囲において遊離ビオチン濃度に、より直線的に比例し、その結果、通常の競合アッセイと比較して拡張したアッセイ範囲を得た。
【００７４】
したがって、ある特定の非限定的な実施形態では、トラプトアビジン（単独またはＨＡＢＡもしくは別のビオチン類似体の使用と組み合わせて）の特有の機能を利用して、ロバストな精度および拡張した動的範囲を有するビオチンアッセイを創出した。
【実施例４】
【００７５】
この実施例では、実施例３に記載したビオチンＬＯＣＩ（登録商標）アッセイを、ビオチンにより被覆したケミビーズ（ＣＢ）およびトラプトアビジンにより被覆したセンシビーズ（ＳＢ）を使用して実施した。このビオチンＬＯＣＩ（登録商標）アッセイから得たデータを図３および表２に示す。見ることができるように、任意の現在利用可能なビオチンアッセイより非常に広範囲のビオチン濃度にわたって標準曲線を得た。
【００７６】
【表２】
2021532366.tif 000004
【００７７】
一般的に、０ｎｇ／ｍＬを除いて、トラプトアビジンにより被覆したセンシビーズは、結合したサンプルビオチンをセンシビーズ表面上の適所にロックする（または「トラップする」）トラプトアビジンの１０倍遅いオフレートに起因して、ストレプトアビジンにより被覆したセンシビーズより有意な精度の改善を示した（図４ならびに表１および２を参照のこと）。さらに、トラプトアビジン−ＳＢ曲線はストレプトアビジン−ＳＢの曲線よりも急勾配である（図４）。
【実施例５】
【００７８】
この実施例では、実施例３に記載したビオチンＬＯＣＩ（登録商標）アッセイを、ＨＡＢＡにより被覆したケミビーズ（ＣＢ）およびストレプトアビジンにより被覆したセンシビーズ（ＳＢ）を使用して実施した。このビオチンＬＯＣＩ（登録商標）アッセイから得たデータを図５に示す。見ることができるように、任意の現在利用可能なビオチンアッセイより非常に広範囲のビオチン濃度にわたって標準曲線を得た。
【実施例６】
【００７９】
図６は、イミノビオチンにより被覆したケミビーズを利用したビオチンＬＯＣＩ（登録商標）アッセイの別の非限定的な実施形態を示す。この実施例では、ケミビーズをイミノ−ビオチンにより被覆し、センシビーズをストレプトアビジンまたはトラプトアビジンのいずれかにより被覆した。イミノビオチンはアビジンに対してｐＨ依存性の結合をする；イミノビオチンはより高いｐＨでアビジンに対して、より高い親和性を有し、ｐＨが低いと、アビジンから解離する。この機能を使用して、イミノビオチンにより被覆したＣＢを、ＳＢへのビオチン結合を確実にするために、より低いｐＨでＳＢおよびサンプルとインキュベートすることができた。ＳＢおよびビオチンの結合が完了した後、ＣＢおよびＳＢ結合を可能にするようにｐＨを増加させ、それによってＬＯＣＩシグナルを生成した。
【００８０】
このように、本開示に従って、本明細書上記に示した目的および利点を完全に満たす、組成物、キット、およびデバイス、ならびにそれらを製造し、使用する方法が提供される。本開示は、本明細書上記に示した具体的な図面、実験、結果、および言語と併せて記載してきたが、多くの代替、修飾、および変更が当業者には明らかであることは自明である。したがって、本開示の趣旨および広い範囲内である全てのこのような代替、修飾、および変更を包含することを意図する。
【図１】
2021532366.tif 000005
【図２】
2021532366.tif 000006
【図３】
2021532366.tif 000007
【図４】
2021532366.tif 000008
【図５】
2021532366.tif 000009
【図６】
2021532366.tif 000010
【国際調査報告】
2021532366.tif 000011